(57)【要約】  【課題】  電線群の中間接合部への低粘度剤による十分な防水処理を施しつつ、低粘度剤の電線群両端への漏れ出しを確実に防止できる電線中間接合部の防水構造を提供する。  【解決手段】  粘着テープ１２の一面に、該粘着テープ１２より一回り小さい発泡シート１４を載置して固着し、該発泡シート１４の中央部に低粘度剤１５を塗布すると共に両側に高粘度剤１６を塗布し、中央の低粘度剤１５上に電線中間接合部１１を置いた状態で、前記粘着テープ１２と共に発泡シート１４を巻回して、前記電線中間接合部１１を低粘度剤１５で被覆すると共に、該電線中間接合部１１に隣接する両側電線群Ｗを高粘度剤１６で被覆している。  【選択図】  図２
2006318716.tif 000002
【特許請求の範囲】
【請求項１】
電線中間接合部を低粘度剤が塗布された発泡シートで被覆すると共に、該電線中間接合部の両側を高粘度剤が塗布された発泡シートで被覆し、前記発泡シートの外周面が粘着テープで被覆されている電線中間接合部の防水構造。
【請求項２】
前記低粘度剤が塗布された発泡シートと高粘度剤が塗布された発泡シートは連続した１枚の発泡シートからなり、該発泡シートの一面の中央部に前記低粘度剤が塗布されていると共にその両側に高粘度剤が塗布され、該１枚の発泡シートより大面積とした前記粘着テープにより、前記発泡シートが被覆されると共に該発泡シートの両側外方に延在する前記電線が被覆されている請求項１に記載の電線中間接合部の防水構造。
【請求項３】
前記低粘度剤が塗布された発泡シートと、その両側に隙間を開けて配置され高粘度剤が塗布された発泡シートとからなる３枚の発泡シートを備え、これら３枚の発泡シートは、1枚の前記粘着テープにより、被覆されると共に両側の発泡シートから外方に延在する前記電線が前記粘着シートで被覆されている請求項１に記載の電線中間接合部の防水構造。
【請求項４】
粘着テープの一面に、該粘着テープより一回り小さい発泡シートを載置して固着し、該発泡シートの中央部に低粘度剤を塗布すると共に両側に高粘度剤を塗布し、
前記中央の低粘度剤上に電線中間接合部を置いた状態で、前記粘着テープと共に発泡シートを巻回して、前記電線中間接合部を低粘度剤で被覆すると共に、該電線中間接合部に隣接する両側電線群を高粘度剤で被覆している電線中間接合部の防水方法。
【請求項５】
粘着テープの一面の中央部に、低粘度剤を塗布した発泡シートを載置して固着しておくと共に該発泡シートの両側に隙間をあけて高粘度剤を塗布した一対の発泡シートを載置して固着しておき、
前記中央の発泡シートの低粘度剤上に電線中間接合部を置くと共に、該電線中間接合部に隣接する両側の電線を前記両側の発泡シートの高粘度剤上に置き、
前記粘着テープと共にこれら発泡シートを巻回して、前記電線中間接合部を低粘度剤で被覆すると共に、該電線中間接合部に隣接する両側電線群を高粘度剤で被覆している電線中間接合部の防水方法。
【発明の詳細な説明】
【技術分野】
【０００１】
本発明は、電線中間接合部の防水構造および防水方法に関し、詳しくは、電線中間接合部に施した低粘度剤の漏れ出しを防止して防水性向上を図るようにしたものである。
【背景技術】
【０００２】
従来、ワイヤハーネスにおいて、複数の電線の中間部分で互いに接続を取る必要がある場合には、各電線の中間部分を皮剥ぎ処理することで芯線を露出させ、この芯線部分を束ねてジョイント端子で圧着したり、抵抗溶接、超音波溶接等の手段により電気的導通を得るようにしている。そして、この中間接合部の腐食を防止するため、中間接合部に対し防水処理を施すようにしている。
【０００３】
電線中間接合部を防水処理する構造としては、図４（Ａ）（Ｂ）に示すように、ワイヤハーネスＷ／Ｈの電線中間接合部１を含む防水領域両端の電線群Ｗの外周面を粘着テープ２で覆うようにしたものがある。この粘着テープ２の内面には低粘度剤３が塗布された発泡シート４が配置されており、低粘度剤３を電線中間接合部１の細部まで浸透させることで当該部分を低粘度剤３によって確実に被覆して防水効果を発揮させるようにしている。なお、上記のように中間接合部を粘着テープで覆って防水処理する一般的な処理構造としては特許文献１に記載のものがある。
【０００４】
【特許文献１】特開平７−２４５６４２号公報
【発明の開示】
【発明が解決しようとする課題】
【０００５】
上記図４（Ａ）（Ｂ）に示す防水構造によれば、流動性の高い低粘度剤３の作用によって電線中間接合部１の細部まで低粘度剤３を浸透させることができる反面、電線中間接合部１に低粘度剤３をなじませるためには、低粘度剤３が固まらない間に中間接合部１に対し粘着テープ２を巻き付けなければならない。しかしながら、粘着テープ２の巻き付けによる圧迫作用によって低粘度剤３が電線群Ｗの両側から漏れ出してしまうおそれがあり、このような状況になると中間接合部１における十分な防水機能を発揮できなくなる可能性があった。
【０００６】
本発明は上記した問題に鑑みてなされたもので、電線群の中間接合部への低粘度剤による十分な防水処理を施しつつ、低粘度剤の電線群両端への漏れ出しを確実に防止できる電線中間接合部の防水構造および防水方法を提供することを課題としている。
【課題を解決するための手段】
【０００７】
上記課題を解決するため、本発明では、前記低粘度剤が塗布された発泡シートと高粘度剤が塗布された発泡シートは連続した１枚の発泡シートからなり、該発泡シートの一面の中央部に前記低粘度剤が塗布されていると共にその両側に高粘度剤が塗布され、該１枚の発泡シートより大面積とした前記粘着テープにより、前記発泡シートが被覆されると共に該発泡シートの両側外方に延在する前記電線が被覆されている請求項１に記載の電線中間接合部の防水構造を提供している。
【０００８】
上記構成によれば、低粘度剤が塗布された領域の両側が、高粘度剤が塗布された領域となっているため、電線中間接合部に施された低粘度剤が両側へ流出しようとしても、高粘度剤の領域によってその流出が阻止される。よって、低粘度剤が固化する前に粘着テープの両側から低粘度剤が外部へ漏れ出すおそれがなく、電線中間接合部において低粘度剤を芯線の素線間に十分に浸透させて確実な防水処理を施すことができる。
【０００９】
具体的には、前記低粘度剤が塗布された発泡シートと高粘度剤が塗布された発泡シートは連続した１枚の発泡シートからなり、該発泡シートの一面の中央部に前記低粘度剤が塗布されていると共にその両側に高粘度剤が塗布され、該１枚の発泡シートより大面積とした前記粘着テープにより、前記発泡シートが被覆されると共に該発泡シートの両側外方に延在する前記電線を被覆する構成としている。
このようにすれば、１枚の発泡シートによって電線中間接合部とその両側の防水が必要な領域を一括して覆うことができると共に、低粘度剤が塗布された領域の両側に高粘度剤が塗布された領域を確保することができる。
【００１０】
他の具体的構成として、前記低粘度剤が塗布された発泡シートと、その両側に隙間を開けて配置され高粘度剤が塗布された発泡シートとからなる３枚の発泡シートを備え、これら３枚の発泡シートは、1枚の前記粘着テープにより、被覆されると共に両側の発泡シートから外方に延在する前記電線を前記粘着シートで被覆する構成としている。
このように構成すれば、中央の低粘度剤が塗布された発泡シートと両側の高粘度剤が塗布された発泡シートとは独立しており、各隣接部分には隙間が存在しているため、この隙間が低粘度剤の流出を阻止する溝となり、高粘度剤塗布領域への低粘度剤の流出を一層確実に防止することができる。
【００１１】
また、他一方の発明として、粘着テープの一面に、該粘着テープより一回り小さい発泡シートを載置して固着し、該発泡シートの中央部に低粘度剤を塗布すると共に両側に高粘度剤を塗布し、
前記中央の低粘度剤上に電線中間接合部を置いた状態で、前記粘着テープと共に発泡シートを巻回して、前記電線中間接合部を低粘度剤で被覆すると共に、該電線中間接合部に隣接する両側電線群を高粘度剤で被覆している電線中間接合部の防水方法を提供している。
【００１２】
前記方法によれば、低粘度剤が固まる前に電線中間接合部に低粘度剤が塗布された発泡シートを巻き付けて粘着テープで被覆しても、低粘度剤の塗布領域の両側が高粘度剤の塗布領域によって封鎖されるため、低粘度剤の両側外方への漏れ出しを阻止する状態で電線中間接合部の防水処理を施すことができる。
【００１３】
更に他の防水方法として、粘着テープの一面の中央部に、低粘度剤を塗布した発泡シートを載置して固着しておくと共に該発泡シートの両側に隙間をあけて高粘度剤を塗布した一対の発泡シートを載置して固着しておき、
前記中央の発泡シートの低粘度剤に電線中間接合部を置くと共に、該電線中間接合部に隣接する両側の電線を前記両側の発泡シートの高粘度剤に置き、前記粘着テープと共にこれら発泡シートを巻回して、前記電線中間接合部に低粘度剤を被覆すると共に、該電線中間接合部に隣接する両側電線群に高粘度剤で被覆している電線中間接合部の防水方法を提供している。
【００１４】
この方法によれば、低粘度剤が塗布された発泡シートの両側に隙間を開けて高粘度剤が塗布された発泡シートの領域を確保することができるため、上記隙間が低粘度剤の両側への流出を一層確実に阻止するための溝として機能する防水構造を提供することができる。
【発明の効果】
【００１５】
以上の説明より明らかなように、本発明の電線中間接合部の防水構造および防水方法によれば、低粘度剤が塗布された領域の両側に高粘度剤が塗布された領域を配置することで、低粘度剤の両側外方への流出を防止して電線中間接合部における防水性を確保することができる。よって、電線中間接合部における確実な腐食防止を図ることができる。
【発明を実施するための最良の形態】
【００１６】
以下、本発明の実施形態を図面を参照して説明する。
図１、図２は電線中間接合部の防水構造の第１実施形態を示し、この防水構造１０は複数の電線Ｗａが並設された電線群Ｗと、電線群Ｗの電線中間接合部１１およびその両側の周辺部分の外周を覆うように巻き付けられた粘着テープ１２とからなっている。
電線中間接合部１１は、図１（Ｂ）に示すように、各電線Ｗａの中間部分を皮剥ぎして芯線Ｗｂを露出させ、露出した芯線Ｗｂを束にしてジョイント端子１３を圧着することで各電線Ｗａ間の電気的接続を得るようにしている。
【００１７】
粘着テープ１２の内面における粘着面１２ａには、図１（Ｃ）に示すように、四隅に粘着領域を残して発泡シート１４を配置している。この発泡シート１４は電線中間接合部１１および、その両側の電線群Ｗを完全に覆うに十分な面積としている。発泡シート１４上の中間領域において電線中間接合部１１より若干広い範囲に対応する部分には低粘度剤１５の塗布層を有し、発泡シート１４上の両側の領域において、低粘度剤１５の両側隣接位置には電線群Ｗの両側を被覆するための高粘度剤１６の塗布層を有している。
【００１８】
次に、より具体的な電線中間接合部の防水方法の各工程について説明する。
先ず、図２（Ａ）に示すように、電線中間接合部１１およびその両端の電線群Ｗを覆うに十分な所定大きさで片面に粘着面１２ａを有する粘着テープ１２を準備し、その粘着面１２ａ側に粘着テープ１２より一回り小さい発泡シート１４を載置して固着する。
次いで、図２（Ｂ）に示すように、発泡シート１４の中央部に電線中間接合部１１より若干広い領域にわたって低粘度剤１５を塗布すると共に、この低粘度剤１５の塗布領域の両側の領域に高粘度剤１６を塗布する。
そして、図２（Ｃ）に示すように、中央の低粘度剤１５上に電線群Ｗ中央の電線中間接合部１１を載置すると共に、電線群Ｗの両側を高粘度剤１６上に載置する。
次いで、電線中間接合部１１および、その両側の電線群Ｗを覆うようにして粘着テープ１２を発泡シート１４の両側外方に延在する電線Ｗａの外周に巻回することで粘着面１２ａの作用により粘着テープ１２を電線Ｗａに固定し、図１（Ａ）に示すような電線中間接合部の防水構造１０を得ることができる。
【００１９】
このようにすることで、電線中間接合部１１より若干広い部分は低粘度剤１５が塗布された発泡シート１４で圧迫された状態で被覆されると共に、電線中間接合部１１の両側の電線群Ｗも同様に高粘度剤１６が塗布された発泡シート１４によって圧迫された状態で被覆される。このとき、低粘度剤１５は粘着テープ１２の巻回に伴う圧迫によって、両側外方へ向けて流出しようとするが、低粘度剤１５の両側の領域は高粘度剤１６によって遮られているため、低粘度剤１５が粘着テープ１２の両端部から外部へ流出することがなく電線中間接合部１１に対応する部分に残留させておくことができる。これにより、低粘度剤１５は、電線群Ｗの芯線Ｗｂの各素線間およびジョイント端子１３との隙間に十分に浸透し、電線中間接合部１１に対する防水効果を確実に発揮させることができる。また、両側の各電線群Ｗの外周には高粘度剤１６が回り込んだ状態となるため、外部からの水の浸入を確実に防止することができる。よって、このような防水構造１０によれば、水の浸入に起因する電線中間接合部１１の腐食を防止することができる。
【００２０】
図３（Ａ）〜（Ｄ）は電線中間接合部の防水構造２０の第２実施形態を示し、発泡シート２４ａ、２４ｂ、２４ｃを中央部と両側部の３つの領域に区割りしている点で第１実施形態と相違する。即ち、図３（Ａ）に示すように、電線中間接合部２１およびその両端の電線群Ｗを覆うに十分な所定大きさで片面に粘着面２２ａを有する粘着テープ２２を準備し、その粘着面２２ａ側において電線中間接合部２１より若干広い中央部に電線中間接合部２１を被覆する発泡シート２４ａを載置して固定する。更に、中央部の発泡シート２４ａの両側に隙間Ｓを開けて両側の電線群Ｗを被覆するための発泡シート２４ｂ、２４ｃを載置して固定する。次いで、図３（Ｂ）に示すように、中央部の発泡シート２４ａの上面に低粘度剤２５を塗布すると共に、両側の発泡シート２４ｂ、２４ｃの上面には高粘度剤２６を塗布する。そして、図３（Ｃ）に示すように、電線中間接合部２１を中央の発泡シート２４ａに対応させるようにして載置すると共に、両側の電線群Ｗを両側の発泡シート２４ｂ、２４ｃに対応させるようにして載置する。その後、図３（Ｄ）に示すように、粘着テープ２２を電線群Ｗの外周に巻回することで粘着面２２ａの作用により粘着テープ２２を電線Ｗａに固定させるようにしている。
【００２１】
前記のようにすることで、電線中間接合部２１より若干広い部分は低粘度剤２５が塗布された発泡シート２４ａにより圧迫された状態で被覆されると共に、電線中間接合部２１の両側の電線群Ｗも同様に高粘度剤２６が塗布された発泡シート２４ｂ、２４ｃによって圧迫された状態で被覆される。このとき、低粘度剤２５は粘着テープ２２の巻回に伴う圧迫によって、両側外方へ向けて流出しようとするが、低粘度剤２５の塗布された発泡シート２４ａと、高粘度剤２６が塗布された両側の発泡シート２４ｂ、２４ｃとの間には隙間Ｓが存在しているため、余剰分の低粘度剤２５はこの隙間Ｓに流れ、更に両側には高粘度剤２６が塗布された発泡シート２４ｂ、２４ｃによって遮られるため、低粘度剤２５が粘着テープ２２の両端部から外部へ流出するのを防止できる。これにより、低粘度剤２５は、電線群Ｗの芯線Ｗｂの各素線間およびジョイント端子２３との隙間に十分に浸透し、電線中間接合部２１に対する防水効果を確実に発揮させることができる。また、両側の各電線群Ｗの外周には高粘度剤２６が回り込んだ状態となるため、外部からの水の浸入を確実に防止することができる。よって、このような防水構造２０によれば、水の浸入に起因する電線中間接合部１１の腐食を防止することができる。
【００２２】
更に、上記各実施形態では、電線群の電線中間接合部を接続する手段としてジョイント端子を用いた例を示したが、抵抗溶接、超音波溶接等の他の接続手段を採用したものについても同様の防水構造を適用することができる。
【図面の簡単な説明】
【００２３】
【図１】本発明に係る電線中間接合部の防水構造を示し、（Ａ）は防水構造の斜視図、（Ｂ）は電線群の電線中間接合部を示す斜視図、（Ｃ）は低粘度剤および高粘度剤を塗布した粘着テープの平面図である。
【図２】電線中間接合部の防水方法の各工程を示し、（Ａ）は粘着テープに発泡シートを載置した状態の平面図、（Ｂ）は発泡シート上に低粘度剤および高粘度剤を塗布した状態の平面図、（Ｃ）は低粘度剤および高粘度剤の塗布面に電線群の電線中間接合部を載置した状態の平面図である。
【図３】第２実施形態の電線中間接合部の防水方法の各工程を示し、（Ａ）は粘着テープに３つの発泡シートを載置した状態の平面図、（Ｂ）は中央の発泡シート上に低粘度剤を、両側の発泡シートに高粘度剤を塗布した状態の平面図、（Ｃ）は低粘度剤および高粘度剤の塗布面に電線群の電線中間接合部を載置した状態の平面図、（Ｄ）は電線群に粘着テープを固定した状態の斜視図である。
【図４】（Ａ）（Ｂ）は従来例を示す図面である。
【符号の説明】
【００２４】
１０、２０  防水構造
１１、２１  電線中間接合部
１２、２２  粘着テープ
１２ａ、２２ａ  粘着面
１４、２４ａ、２４ｂ、２４ｃ  発泡シート
１５、２５  低粘度剤
１６、２６  高粘度剤
Ｗ  電線群
Ｓ  隙間
【図１】
2006318716.tif 000003
【図２】
2006318716.tif 000004
【図３】
2006318716.tif 000005
【図４】
2006318716.tif 000006